(57)【特許請求の範囲】
【請求項１】
箱体と、蓋体との組合せを有し、箱体の一部にハンガーの吊り下げ部分を設けたハンガーボックスであって、
箱体と蓋体とは、段ボール紙の折り曲げによって形成されたものであり、
箱体は、ハンガーに吊るした衣類を内部に収容する中空箱であり、箱体の底板上縁には、内側上板部が付設され、
内側上板部は、箱体の上部壁を形成する立上り部分であり、ハンガーの吊り下げ部分としてハンガーのフックを挿し込む小孔が開口され、フラップを有し、ハンガーは、吊るした衣類の重量を受け、箱体の底板に支えられた状態で傾斜姿勢となり、
フラップは、箱体の上部壁を形成する立上り部分の面上に折り返されて内側上板部を保形し、ハンガーに吊るした衣類による前記立上り部分の撓みを防止するものであり、
蓋体は蓋板と外側上板部を有し、
蓋板は箱体の開口を塞いで箱体に止められるものであり、
外側上板部は、前記蓋板の少なくとも上辺に箱体の上部壁を形成する内側上板部を覆って箱体に止められるものであることを特徴とするハンガーボックス。
【請求項２】
前記ハンガーの吊り下げ部分に開口された小孔の下方の立上り部分の板面には、補強板が貼り付けられ、
補強板は、ハンガーのフックに加わる衣類の重量を箱体の上部壁を形成する立上り部分に分散させるものであることを特徴とする請求項１に記載のハンガーボックス。
【請求項３】
ハンガーの吊り下げ部分を２以上有するハンガーボックスであって、
ハンガーの吊り下げ部分は、箱体の上部壁を形成する立上り部分に一定間隔をおいて、横方向に少なくとも２つ開口された小孔であり、
各小孔は、ハンガーのフックを挿し込んでそれぞれ衣類を吊るしたハンガーを支えるものであることを特徴とする請求項１又は２のいづれか一つに記載のハンガーボックス。
【発明の詳細な説明】
【技術分野】
【０００１】
本発明は、洋品店から顧客向けに配送する衣類の配送に適した簡易構造のハンガーボックスに関する。
【背景技術】
【０００２】
従来、ハンガーボックスは、家屋内に設置する衣服の埃よけとして考えられその多くが金属製、木製あるいは金属パイプを骨組みとしてその外面を布やプラスチックシートで覆ったものが使用されてきたが、その後、段ボール箱を活用して引越しなどの際の衣類の運搬にも用いられるようになった。その改良案の１つとして例えば特許文献１には、使用後の廃棄することなく、引越し後にも段ボール箱をユーザの希望に応じてハンガーボックスとして使用可能な簡易型のハンガーボックスを提案するとして、段ボール紙などの厚紙製ボックスの上部に厚紙製の支持板を設けて両支持板間に厚紙製の懸吊部材を懸架させ、この懸吊部材にハンガーをかけるようにした簡易ハンガーボックスが記載されている。
【０００３】
また、使用後の廃棄処分が容易なハンガーボックスを提供するとして特許文献２には、筒状体と、ハンガーのフックを引っ掛ける紙管との組合せからなるハンガーボックスであって、筒状体の上部に対を成すサイドフラップを付設し、これを筒状体の内側に折り込んで少なくとも２重構造とし、２重構造のサイドフラップに紙管の両端を支持させて支持強度を高めたハンガーボックスが記載されている。
【０００４】
引用文献１，２に記載されたハンガーボックスは、要するに引越しの荷物として多くの衣類を大型の段ボール箱の中に納めて搬送することを意図したものである。ところで、衣類の輸送は、必ずしも引越だけには限らない。デパートや洋服店で仕立てられた洋服あるいは直しに掛けられた洋服を注文者に配送する場合は専ら宅配業者に委託されて配送が行われる。
【０００５】
しかしながら、デパートや洋服店から注文者に配送する１着あるいは２着程度の衣類を配送するに際しては、専ら洋服箱が使用され、衣類を折り畳み、洋服箱の中に収容して配送されていた。衣類を折り畳むと当然しわになる。折角の仕立て上がりの衣類にしわを承知で顧客に届けるというのは不思議なことではあるが、その原因は適切な衣類配送用のハンガーボックスがなかったという理由以外にはない。
【特許文献１】特許公開平１０−１７５６８８
【特許文献２】特許公開平８−７２９２４
【発明の開示】
【発明が解決しようとする課題】
【０００６】
解決しようとする問題点は、配送用のハンガーボックスとして従来より引越等の際に使用するものは各種提案されているが、デパート、洋服店から注文者に衣類を配送する際に使用する適当なハンガーボックスがなかったという点である。
【課題を解決するための手段】
【０００７】
本発明は、箱体の立ち上がり部分の一部にハンガーの吊り下げ部分を設け、ハンガーにかけた衣類を折り畳むことなくそのまま段ボール箱内に吊るして配送できるようにした点を最も主要な特徴とする。
【発明の効果】
【０００８】
本発明のハンガーボックスは、一体に連結された箱体と蓋体との組合せによって構成されるものであり、箱体の上部壁を形成する立上り部分に衣類のハンガーを引っ掛け、箱体の開口を蓋体で施蓋し、一定形態に係止することによって、衣類を折り畳むことなく、ハンガーに吊るしたままの状態で配送し、注文者に届けることができる。しかもハンガーは、箱体の上部壁を形成する立上り部分に開口した小孔内に単に挿し込むだけで容易に引っ掛けることができる。
【発明を実施するための最良の形態】
【０００９】
デパートの売り場や洋服店の店頭から客が購入した衣類をハンガーに吊るしたまま注文者の自宅に配送するという目的を組立式の段ボール箱の使用によって実現した。
【実施例１】
【００１０】
（１）ハンガーボックスの構成について
本発明は、段ボール紙の折り曲げによって形成された箱体と、蓋体との組合せを有し、箱体の一部にハンガーの吊り下げ部分を設けたハンガーボックスである。箱体は、ハンガーに吊るした衣類を内部に収容する中空箱であり、箱体の上部壁を形成する立上り部分を有している。ハンガーの吊り下げ部分は、箱体の上部壁を形成する立上り部分であり、ハンガーに吊るした衣類の重量を支えて一定角度を保つ。蓋体は、箱体の開口をふさぐ蓋板と、該蓋板の少なくとも上辺に折曲縁を有している。蓋体の上辺の折曲縁は、前記箱体の上部壁を形成する立上り部分を覆って箱体に留められる。
【００１１】
図１は、本発明によるハンガーボックスの１実施例を示す斜視図である。図において、本発明によるハンガーボックス１は、組立式の段ボール箱であり、一体に連結された箱体Ｂと、蓋体Ｃとの組合せからなっている。箱体Ｂは、ハンガーに吊るした衣類を収納する中空の箱であり、長方形の底板２の上縁、一側縁、下縁には、内側上板部３、側板部４及び内側妻板部５がそれぞれ付設され、底板２の他側縁は、連結板部６を介して蓋体につながり、内側上板部３、側板部４、内側妻板部５及び連結板部６は、底板２に対して箱体の立上り高さの幅で底板２に対して直角に折曲されて正面が開放された中空箱型に形成されている。
【００１２】
この実施例においては、内側上板部３が箱体の一辺の壁を形成する立上り部分であり、内側上板部３には、ハンガーの吊り下げ部分７としてハンガーのフックを引っ掛ける小孔が開口されている。また、側板部４の端縁には、底板２と平行に折り返された座縁を有し、側板部４は長さ方向の途中で切り離され、切り離し線８から内側上板部３側の座縁を着座面９、内側妻板部３側の座縁を糊付け面１０として区別している。
【００１３】
蓋体Ｃは、一側縁が連結板部６によって箱体Ｂの底板２につながり、箱体Ｂの開口を覆う蓋板１１と、その上縁の外側上板部１２と、下縁の外側妻板部１３とからなっている。外側上板部１２は、ハンガーボックス１の上部外壁として箱体Ｂの内側上板部３の外面を覆う部分であり、外側妻板部１３は、ハンガーボックス１の下部外壁として箱体Ｂの内側妻板部５の外面を覆う部分である。後に説明するようにそれぞれの辺に設けた挿込片１４ａ〜１４ｄは、底板２の内側上板部３の基部のスリット１５ａ，１５ｂ内および内側妻板部５のスリット１５ｃ，１５ｄ内に挿し込まれる。また、蓋体Ｃの外端縁は、側板部４に付設された座縁に重ねられ、その一部は糊付け面１０に接着される。
【００１４】
（２）ハンガーボックスの展開形状について
図２に、本発明によるハンガーボックスの展開図を示す。本発明によるハンガーボックス１は、定形に裁断した１枚の段ボール紙を箱体Ｂと蓋体Ｃとに区画したものである。箱体Ｂは、前述のように長方形の底板２と内側上板部３と、側板部４と、内側妻板部５と連結板部６とから構成されるものであり、内側上板部３は、仕切り線Ｌ１で底板２から区画され、その上縁は、仕切り線Ｌ２にて区画してフラップ１６が形成されている。
【００１５】
この実施例においては、ハンガーの吊り下げ部分７となる内側上板部３のほぼ中央部位にハンガーのフックを挿し込む小孔が開口され、小孔の周囲の板面は、補強板１７を貼り付けて内側上板部３の強度不足を補っている。また、小孔をはさんでその左右位置には、蓋体の挿込片１４ａ，１４ｂを挿し込むためのスリット１５ａ，１５ｂが開口されている。
【００１６】
フラップ１６には、前記小孔の位置及びスリット１５ａ，１５ｂの開口位置を開放するに必要な大きさの切欠き１８ａ〜１８ｃが付され、その両端部の板面一部に切り込みを入れて、内側上板部３に開口された嵌合孔１９ａ，１９ｂ内に挿し込む係止片２０ａ，２０ｂが形成されている。
【００１７】
内側妻板部５は、仕切り線Ｌ３によって底板２から区画形成され、内側妻板部５の基部には、蓋体の挿込片１４ｃ，１４ｄを挿し込むスリット１５ｃ，１５ｄが開口され、さらに、スリット１５ｃ，１５ｄに差し込まれた挿込片１４ｃ，１４ｄの開口に差し込んで箱体と蓋体との結合を安定させる第２の挿込片２１ａ，２１ｂが箱体側に設けられている。側板部４は、仕切り線Ｌ５によって底板２から区画され、その外縁側には、区画線Ｌ６によって前記座縁が区画形成されている。
【００１８】
さらに、前記連結板部６は、側板部４と同じ幅で、箱体側の底板２と、蓋体側の蓋板１１をつなぐ部分であり、仕切り線Ｌ７、Ｌ８によって区画することによって側板部４の対向側に形成されたものである。また、外側上板部１２は仕切り線Ｌ９によって蓋板１１から区画され、外側上板部１２の上縁には、前記内側上板部３のスリット１５ａ，１５ｂに対応させて挿込片１４ａ，１４ｂが付設されている。また、外側妻板部１３は仕切り線Ｌ１０によって蓋板１１から区画され、外側妻板部１３の下縁には、前記内側妻板部５のスリット１５ｃ，１５ｄに対応させて挿込片１４ｃ，１４ｄが付設されている。なお、この挿込片１４ｃ，１４ｄの基部には、前記第２の挿込片２１ａ，２１ｂを挿し込むための第２のスリット２２ａ，２２ｂが開口されている。
一方、蓋板１１の外側縁には、背前記箱体の側板部４に開口されたスリット２３内に挿し込む挿込片２４が付設されている。
【００１９】
（３）ハンガーボックスの組立手順について
以下に本発明によるハンガーボックスの組立の手順を説明する。図３（ａ）において、まず、箱体および蓋体が平板状に展開された状態から、図３（ｂ）に示すように、箱体側の内側上板部３と、側板部４と、内側妻板部５と連結板部６を底板２に対して直角方向に起立させて、次いで図３（ｃ）に示すように内側上板部３に付設されたフラップ１６を内側上板部３の内側に折り重ねる。さらに図３（ｄ）に示すように、嵌合孔１９ａ，１９ｂ内に係止片２０ａ，２０ｂを挿し込み、フラップ１６を内側上板部３に一体的に固定する。
【００２０】
さらに、図１に示すように正面が開放された箱型に組立てた後に、箱型の開放面に蓋板１１をかぶせ、外側上板部１２と外側妻板部１３および蓋板１１の外縁に付設された挿込片１４ａ〜１４ｄおよび２４を内側上板部３と内側妻板部５および側板部４の対応するスリット１５ａ〜１５ｄおよび２３内にさしこみ、さらに、内側妻板部５に設けた第２の挿込片２１ａ，２１ｂを外側妻板部１３の下縁の挿込片に開口された第２のスリット２２ａ，２２ｂ内に挿し込むことによってハンガーボックス１に組立て、側板部４の内側妻板部５側の座縁に形成された糊付け面１０に蓋板１１を糊付けする。これによって、ハンガーボックス１は、定型を保ち、蓋板１１を内側上板部３側の着座面９に重ねた範囲内で開閉可能に組立てられる。
【００２１】
（４）衣類を収容する要領
本発明において、ハンガーに吊るした衣類は以下の要領でハンガーボックスに収容する。本発明のハンガーボックス１に収容する衣類は主として、デパートや洋品店で顧客に販売された例えば洋服上下、オーバーコート、ドレスのような衣類である。
【００２２】
衣類の収容に際しては、要するに、図４（ａ）に示すように、ハンガーボックス１の組み立て途中でハンガー２５を吊り下げ部分７に引っ掛けて衣類２６を箱体Ｂ内に収容し、これを蓋体Ｃで施蓋すればよいが、ハンガーボックス１の組み立て後においては、蓋板１１の挿込片２４を側板部４のスリット２３からはずし、内側上板部３側の着座面９に重ねた範囲内で蓋板１１を開き、衣類２６を吊るしたハンガー２５をハンガーボックス１内に挿込み、ハンガー２５のフックをフラップ１６側から内側上板部３の吊り下げ部分７の小孔内に挿し込んでこれを内側上板部３の面上に引き出す。
【００２３】
これによってハンガー２５は、内側上板部３に支えられ、フックに加えられる局部的な荷重は補強板１７で内側上板部３に分散され、内側上板部３は、図４（ｂ）に示すように衣類２６の重量を受けて傾斜姿勢となる。また、内側上板部３に折り重ねたフラップ１６は、立上り部分である内側上板部３に一体的に結合され、前記立上り部分を保形してハンガーに吊るした衣類の重量による内側上板部３の撓みを防止する、衣類２６を収容後、蓋板１１の挿込片２４を側板部４のスリット２３内に挿し込んでハンガーボックス１を封止する。これによって、デパートや洋服店の店頭で販売された衣類は、折り畳まれることなく、ハンガーに吊るした状態で注文者に届けることができる。
【００２４】
以上、実施例においては、一着の衣類を収容するハンガーボックスの例を説明した。本発明のハンガーボックスに収容する衣類の数は１着に限られるものではない。２着以上の衣類を収容することもできる。例えば２着の衣類を収容するときには、図５に示すように内側上板部３の板面に一定間隔を置いて吊り下げ部分７ａ，７ｂとして小孔を２個開口し、それぞれの小孔内に衣類を吊るしたハンガー２５のフックを挿し込んで箱体内に収容することができる。
【００２５】
この場合に、２着の衣類２６，２６は互いに一部が重なり合った状態で箱体内に収容される。なお、この例では、補強板１７ａは内側上板部３のフラップ１６にて覆われない側の面に貼り付けているが、補強板１７ａは要するに小孔内に挿し込まれたハンガー２５のフックから内側上板部３に伝えられる局部的な力を分散させるためのものであって、補強板１７ａを貼り付ける面は内側上板部３の表裏いずれの面であってもよい。
【００２６】
本発明は、箱体の一部、具体的には箱体を構成する上部内壁である内側上板部をハンガーの吊り下げ部として利用するものであり、したがって箱体の厚みは、衣類の１着分あるいは互いに重ねた状態での２着〜数着分の厚みがあればよいため、宅配便としての取り扱いが容易であり、顧客は、衣類に折り畳み皺の発生を気にすることなく、デパートや洋品店で購入して自宅への配送を依頼できる。
【産業上の利用可能性】
【００２７】
デパートや洋品店の店頭で販売した衣類に折り畳み皺の発生させることなく、購入者に届けることができ、また、配送に際して箱詰めのために衣類を折り畳む必要がないため、配送作業を簡略化できる。
【図面の簡単な説明】
【００２８】
【図１】本発明によるハンガーボックスの１実施例を示す斜視図である。
【図２】本発明によるハンガーボックスの展開図である。
【図３】（ａ）〜（ｄ）は、本発明によるハンガーボックスの組立の手順を示す図である。
【図４】（ａ）は衣類を収容する要領を示す図、（ｂ）は（ａ）のＡ−Ａ線断面図である。
【図５】２着の衣類を収容するときの、内側上板部の例を示す図である。
【符号の説明】
【００２９】
１  ハンガーボックス
２  底板
３  内側上板部
４  側板部
５  内側妻板部
６  連結板部
７，７ａ，７ｂ  吊り下げ部分
８  切り離し線
９  着座面
１０  糊付け面
１１  蓋板
１２  外側上板部
１３  外側妻板部
１４ａ〜１４ｄ  挿込片
１５ａ〜１５ｄ  スリット
１６  フラップ
１７，１７ａ  補強板
１８ａ〜１８ｃ  切欠き
１９ａ，１９ｂ  嵌合孔
２０ａ，２０ｂ  係止片
２１ａ，２１ｂ  第２の挿込片
２２ａ，２２ｂ  第２のスリット
２３  スリット
２４  挿込片
２５  ハンガー
２６  衣類
Ｌ１〜Ｌ１０  仕切り線
【図１】
0005292538.tif 000002
【図２】
0005292538.tif 000003
【図３】
0005292538.tif 000004
【図４】
0005292538.tif 000005
【図５】
0005292538.tif 000006